(57)【要約】【課題】  外部から名札の取り外しをおこなうことができない、ロッカーの扉などに設ける名刺などのカードホルダー装置を提供すること。【解決手段】  扉板３０に形成された四角形の穴３１に嵌合する正面形状を持ち各辺が少なくとも前記扉板の厚さよりも大きな奥行き量を有する正面から見て四角形の筒状枠体２１と、該枠体２１の内部における上位辺２２ａの奥行き側の端部と下位辺２２ｂの手前側の端部との間を斜めに横断する透明な保護壁２５と、該透明保護壁２５の後面側に上部を開放してカード又は名刺１０の厚さ程度の隙間ｄ２を介して設けたカード又は名刺１０の支持壁２６とを備え、前記筒状枠体２１をその手前端部まで前記扉板３０の前面側又は後面側から当該扉板３０に形成した穴３１に差込んで固定し、カード又は名刺１０を、扉板３０の背面において前記隙間ｄ２の上部開放部から挿入するようにしたこと。【選択図】図５
0003135284.tif 000002
【実用新案登録請求の範囲】
【請求項１】
扉板に形成された四角形の穴に嵌合する正面形状を持ち各辺が少なくとも前記扉板の厚さよりも大きな奥行き量を有する正面から見て四角形の筒状枠体と、該枠体の内部における上位辺の奥行き側の端部と下位辺の手前側の端部との間を斜めに横断する透明な保護壁と、該透明保護壁の後面側に上部を開放してカード又は名刺の厚さ程度の隙間を介して設けたカード又は名刺の支持壁とを備え、前記筒状枠体をその手前端部まで前記扉板の前面側又は後面側から当該扉板に形成した穴に差込んで固定し、カード又は名刺を、扉板の背面において前記隙間の上部開放部から挿入するようにしたことを特徴とするロッカーの扉などのカードホルダー装置。
【請求項２】
透明な保護壁と該壁に平行な支持壁は、扉の外面に対して前記両壁の上部が扉の穴の内奥側に位置し、下部が穴の手前側に位置する傾斜を有して形成した請求項１のロッカーの扉などのカードホルダー装置。
【請求項３】
支持壁は、保護壁と平行な面の壁面体か又は、保護壁と平行な端面を有するリブ状体により形成した請求項２のロッカーの扉などのカードホルダー装置。
【請求項４】
筒状枠体の手前側の外周には係止用縁を形成するか、又は、向う側（奥側）の外周に係止用縁を形成した請求項１〜３のいずれかのロッカーの扉などのカードホルダー装置。
【請求項５】
四角形の穴と、その穴に差込み固定される四角形の筒状枠体は、これらに代えて四角形以外の正面形状の穴とその穴に差込み固定される当該穴と同形状の筒状筒体に形成した請求項１〜４のいずれかのロッカーの扉などのカードホルダー装置。
【考案の詳細な説明】
【技術分野】
【０００１】
本考案は、ロッカー類の主として扉に設けるカードホルダー装置に係わり、とくに、オフイスや工場、或は、フィットネスクラブやスポーツクラブなどにおいて私物を入れるロッカーの扉などに名前を表示した名刺サイズのカード、名刺、名札などをセットするのに好適な装置に関する。
【背景技術】
【０００２】
オフイスなどにおいて、私物を入れるロッカーは、その扉の名刺差しなどと称される部位に個人名が記載されたカードや名刺が差し込まれているのが普通である。従来、名札は、ロッカーの扉を形成する扉板に設けた四角い枠状の名札入れに、透明なプラスチック薄板を重ねて、挿入されている。このような名札入れは扉板に切起しや枠体の溶接などにより形成されたものが多い。
【０００３】
しかしなから、ロッカーの扉板前面から名札入れを取り付けた構造では、いたずらなどによって、簡単にカードや名札を外されたり、交換されたりするおそれがある。
【考案の開示】
【考案が解決しようとする課題】
【０００４】
本考案は、上記のような現状に鑑みて、外部から名札の取り外しをおこなうことができない、ロッカーの扉などに設ける名刺などのカードホルダー装置を提供することを、その課題とする。
【課題を解決するための手段】
【０００５】
上記の課題を解決することを目的としてなされた本考案カードホルダー装置の構成は、扉板に形成された四角形の穴に嵌合する正面形状を持ち各辺が少なくとも前記扉板の厚さよりも大きな奥行き量を有する正面から見て四角形の筒状枠体と、該枠体の内部における上位辺の奥行き側の端部と下位辺の手前側の端部との間を斜めに横断する透明な保護壁と、該透明保護壁の後面側に上部を開放してカード又は名刺の厚さ程度の隙間を介して設けたカード又は名刺の支持壁とを備え、前記筒状枠体をその手前端部まで前記扉板の前面側又は後面側から当該扉板に形成した穴に差込んで固定し、カード又は名刺を、扉板の背面において前記隙間の上部開放部から挿入するようにしたことを特徴とするものである。
【０００６】
本考案において、筒状枠体の手前側の外側には、係止用縁を形成して、扉板の穴に差込んだときに、筒状枠体の位置決めを簡単に行えるようにすることができる。本考案では、手前側に代えて筒状枠体の向う側（奥側）に係止用縁を設け、扉板の穴の背面から筒状枠体を差込み、その位置決めを行うようにしてもよい。
【０００７】
また、本考案においては、透明な保護壁と該壁に平行な支持壁は、扉の外面に対して前記両壁の上部が扉の穴の内奥側に位置し、下部が穴の手前側に位置する傾斜を有して形成したものでよい。さらに、支持壁は、保護壁と平行な面の壁面体か又は、保護壁と平行な端面を有するリブ状体により形成したものでよい。
【考案の効果】
【０００８】
本考案ロッカーの扉などのカードホルダー装置は、扉板に形成された四角形の穴に嵌合する正面形状を持ち各辺が少なくとも前記扉板の厚さよりも大きな奥行き量を有する正面から見て四角形の筒状枠体と、該枠体の内部における上位辺の奥行き側の端部と下位辺の手前側の端部との間を、斜めに横断する透明な保護壁と、該透明保護壁の後面側に上部を開放してカード又は名刺の厚さ程度の隙間を介して設けたカード又は名刺支持壁とを備え、前記筒状枠体をその手前端部まで前記扉板の前面側又は後面側から穴に差込んで固定し、カード又は名刺を、扉板の背面において前記隙間の上部開放部から挿入するようにしたので、外部からカード又は名刺の取り外しをおこなえない。言い換えれば、ロッカー内部からしかカード又は名刺を外せないので、いたずらなどによるカード又は名刺の入れ替えなどの事故を確実に防止することができる。また、カード又は名刺を挟む透明保護壁と支持壁は、上部が後斜した斜面に形成されているので、例えば、貸しロッカーの下部のカードホルダーとして用いると、上方からカードに記入された名前などが見易いという利点がある。
【考案を実施するための最良の形態】
【０００９】
以下、添付図を参照して、本考案ロッカーの扉などのカードホルダー装置の実施形態を説明する。添付図において、図１は本考案ロッカーの扉などのカードホルダー装置の一実施形態を示す正面図、図２は図１の２−２線に沿う縦断面図、図３は図１および図２に示すカードホルダー装置の背面図、図４は図３の４−４線に沿う拡大断面図、図５は図１〜図３に示すカードホルダー装置を説明するためその使用状態を裏面から見た斜視図、図６は本考案カードホルダー装置の別例の背面図、図７は図６の７−７線に沿う縦断面図、図８は図７における支持壁の別例を説明するために正面側から見た拡大斜視図である。
【００１０】
図１〜図５において、本考案カードホルダー装置は、例えば、私物を容れる個人ロッカーの使用者を特定するためのもので、名刺サイズのカード１０およびカードホルダー２０を有している。
【００１１】
カード１０には、図１に例示したように顔写真１１、名前１２、所属会社１３などが印刷されている。
【００１２】
本考案装置の主体となるカードホルダー２０は、例えば合成樹脂成型物からなっており、図１〜図３に示すように、筒状枠体２１を備えている。筒状枠体２１は、各辺が少なくとも扉板３０の厚さよりも大きな奥行き量ｗを有する正面から見て四角形の中空状の筒部２２を有している。筒部２２の一端には、鍔状の係止用縁２３が一体に成形され、筒部２２の上面および下面の各々には、止め体２４が一体に成形されている。
【００１３】
各止め体２４は、一例として図４に示すように、三角柱のもので、筒部２２の後面側に向かって斜め下方に傾斜する斜面２４ａを備えている。これらの止め体２４ａは、斜面２４ａを上方に向けて、筒部２２の上位辺２２ａの外面に配置されている。止め体２４における係止用縁２３に対面する前面は、係止用縁２３の背面との間に隙間ｄ１を形成しており、その高さは、ほぼ係止用縁２３と同じに形成されている。
【００１４】
筒状枠体２１の上位辺２２ａは、図２に示すように、残余の左右の側位辺２２ｃ，２２ｄおよび下位辺２２ｂよりも短く形成されている。上位辺２２ａの後縁には、そこから斜めに枠体２１における下位片２２ｂの前方に向かって保護壁２５と、該壁２５と平行な面を有する支持壁２６が隙間ｄ２を保持して延びている。
【００１５】
保護壁２５は、アクリル樹脂などの透明な合成樹脂からなっており、上位辺２２ａの後端縁から下位辺２２ｂの前端縁に向かって斜めに配置され、接着剤などによって、上縁を筒部２２の上位辺２２ａの内面に、下縁を下位辺２２ｂの内面に、左右の側縁を側位辺２２ｃ，２２ｄの内面にそれぞれ接合されている。
【００１６】
カード又は名刺１０の支持壁２６は、保護壁２５との間に小さな隙間ｄ２を形成して平行に配置され、図の例では、接着剤によって下縁を下位辺２２ｂの内面に、左右の側縁を側位辺２２ｃ，２２ｄの内面にそれぞれ接合されている。前記隙間ｄ２の上端となる上部開放口又は上部開放部２８は、筒部２２の上位辺２２ａの後端に配置されている。なお、２７は、支持壁２６の左右側後面に設けた取付用ボスで、筒状体２１が扉３０の前面側へ抜け出るのを、この扉３０の背面側で止着するためのボス状部材である。
【００１７】
なお、この実施例において、カード又は名刺１０の支持壁２６は、図３に示すように、その中央に、上側縁に切り欠き２６ａが形成され、平面形状がほぼ凹状に形成されているが、凹状に形成しない場合もある。また、カード又は名刺１０の支持壁２６の背面には、マイクロスイッチ（図示せず）などの電子デバイスなどを固定するためのボックス状の取付け部２９が当該支持壁２６と一体に形成されている。
【００１８】
上記マイクロスイッチは、カード又は名刺１０が保護壁２５と支持壁２６の間に挿入されたこと、又は、抜去されたことを検出し、この検出信号に基づいて、図示しないが扉の錠前の施，解錠を許容又は否定するためのトリガー信号を形成するなどに利用する。
【００１９】
個人ロッカーの扉板３０には、図５に鎖線で例示するように、筒状枠体２１の筒部２２の垂直断面輪郭よりも僅かに大きな矩形をなす穴３１が設けられている。
個人ロッカーに対する本考案ロッカーの扉などのカードホルダー装置の装着は、図５に矢印Ａで示すように、筒状枠体２１の後部をロッカーの扉板３０の穴３１に扉板３０の外側から嵌合したあと、カードホルダー２０全体を扉板３０の外から押し込み、筒状本体２１を扉板３０に固定することによってなされる。
【００２０】
本考案によるカードホルダー装置は、図１〜図５に示した例では、係止用縁２３、止め体２４およびこれらの間の隙間ｄ１によって、扉板３０の前面側からカードホルダー２０を穴３１に押し込むだけで、扉板３０に組み付けることができる。なお、係止用縁２３が筒状枠体２１の後部外周上に形成されている場合には、穴３１の背面側から押し込まれる。
【００２１】
すなわち、扉板３０の前面側から、筒状枠体２１が扉板３０の穴３１に差込まれると、穴３１の縁部は、止め体２４の斜面２４ａによって弾性変形しながら、図４に示すように、隙間ｄ１に落ち込み、落ち込んだところで弾性復元し、係止用縁２３および止め体２４によって位置を固定される。このため、ロッカーに対する装着をきわめて簡単に行える。装着すると、カードホルダー２０は係止用縁２３および止め体２４によって抜け出しを阻止され、しかも、ロッカーの前面には、鍔である係止用縁２３および筒状枠体２１と一体化された保護壁２５しか外部に露出しないので、カードホルダー２０をロッカーの外部から全く取り外すことができない。
【００２２】
カード１０は、図５に矢印Ｂで示すように、保護壁２５とカード又は名刺支持壁２６との間の上部開放部２８から保護壁２５とカード又は名刺の支持壁２６との間にある隙間ｄ２に落とし込まれる。このとき、保護壁２５とカード又は名刺の支持壁２６との間にある空気が切り欠き２６ａから抜け出るため、カード１０をスムーズに差し込むことができる。差込むと、カード１０は、筒状枠体２１および保護壁２５によって覆われ、取り外しを外部から行えない、言い換えれば、ロッカー内部からしかカード１０を外せない。このため、扉となる扉板３０をロックすると、ロッカー外部からカード１０を抜き出したり、他のロッカーの名札と差し替えたりするなどのいたずらを、完全に阻止することができる。
【００２３】
そして、筒状枠体２１の上位辺２２ａおよびこれにある係止用縁２３が庇となって、保護壁２５の反射を抑制しているため、天井照明に邪魔されずに、カード１０の記載事項の確認を行うことができる。また、保護壁２５は上部側が後傾した斜面であるから、特に人の視線より下方に位置付けられて設けたカードホルダー装置にあっては、上方からカードの記載内容が見易いという利点がある。
【００２４】
図１〜図５により説明した以上の実施例は、カード又は名刺１０の支持壁２６が保護壁２５と隙間ｄ２を介在させた平行な平面体により形成されたものであっが、本発明では上記支持壁２６を、図６〜図８に例示する形態に変更したものもあるので、以下にこの点について説明する。
【００２５】
即ち、図６〜図８における支持壁１２６は、垂直壁体の前面に、前端面が、上記支持壁２６と同じ傾斜になるリブ体１２９ｂを、図の例では４列設け、各リブ体１２９ｂの傾斜した前端面でカード又は名刺１０をその背面から支持するようにしたものである。
なお、図６〜図８において、１２７は先の実施例のボス状部材２７と同旨のボス状部材、１２６ａは垂直壁体に形成した切り欠きで先の実施例の切り欠き２６ａと同旨のもの、１２９ａは垂直壁体の前面側に形成したマイクロスイッチＭＳなどの電子デバイスのボックス状取付部で、先の実施例の取付部２９に対応するものである。
【００２６】
以上の実施形態において、ロッカーの施錠は、機械式のキーを使った簡単な構造のものからなっているが、複雑な電子構造のものであってもよい。後者の場合、それに必要な電子デバイス、例えば、カード１０の有無を検知する光センサーなどは、図３や図８に示すカードホルダー２０に設けた取付け部２９，１２９ａに設置し、取付け部２９，１２９ａに近接して設けた開口を光通路などに使うことができる。
【００２７】
以上説明した実施の形態において、カードホルダー２０は扉板３０に係止用縁２３、止め体２４およびこれらの間の隙間ｄ１によって装着されているが、筒状枠体２１が扉板に形成された四角形の穴に嵌合する正面形状を持ち各辺が少なくとも前記扉板の厚さよりも大きな奥行き量を有する正面から見て四角形の形状を有するため、例えば、筒状本体２１を扉板３０に嵌め込んだあと接着するなどの他の手段を採用することができる。
また、扉３０に設ける穴３１とその穴に嵌まる筒状枠体２１を、前記例の四角形以外の多角形や円形，長円形にしても本考案は成立する。
【産業上の利用可能性】
【００２８】
ロッカーの扉などの本考案カードホルダー装置は、以上のように、カード又は名刺の入れ替え、抜き出しなどを確実に防止することができるので、上述の個人ロッカーに限らずに、ビジネスにおける重要なドキュメントを保管する書類用ロッカーなどにも利用することができる。
【図面の簡単な説明】
【００２９】
【図１】本考案ロッカーの扉などのカードホルダー装置の一実施形態を示す正面図。
【図２】図１の２−２線に沿う縦断面図。
【図３】図１および図２に示すロッカーの扉などのカードホルダー装置の背面図。
【図４】図３の４−４線に沿う拡大断面図。
【図５】図１〜図３に示すカードホルダー装置の使用状態を裏面から見た説明図。
【図６】本考案カードホルダー装置の別例の背面図。
【図７】図６の７−７線に沿う縦断面図。
【図８】図７における支持壁の別例を説明するために正面側から見た拡大斜視図。
【符号の説明】
【００３０】
１０    カード又は名札
１１    顔写真
１２    名前
１３    所属会社
２０    カードホルダー
２１    筒状枠体
２２    筒部
２２ａ  上位辺
２２ｂ  下位辺
２２ｃ  側位辺
２２ｄ  側位辺
２３    係止用縁
２４    止め体
２４ａ  斜面
２５    保護壁
２６    カード又は名刺の支持壁
２６ａ  切り欠き
２７    取付け用ボス
２８    上部開放部
２９    取付け部
２９ａ  支持板の開口
３０    ロッカーの扉板
３１    穴
ｄ１    係止用縁と止め体との間の隙間
ｄ２    保護壁とカード又は名刺支持壁との間の隙間
ｗ      筒状枠体の奥行き量
【図１】
0003135284.tif 000003
【図２】
0003135284.tif 000004
【図３】
0003135284.tif 000005
【図４】
0003135284.tif 000006
【図５】
0003135284.tif 000007
【図６】
0003135284.tif 000008
【図７】
0003135284.tif 000009
【図８】
0003135284.tif 000010